(57)【要約】      （修正有）【課題】筆先を容器内のジェルに浸すことなく塗布が可能であり、かつ、施術中にジェルが乾燥するおそれのないジェルペンを提供する。【解決手段】ＵＶ硬化型ジェルを満たしたカートリッジと、カートリッジを収納する本体と、本体先端に設けられた筆状ペン先と、前記カートリッジから筆状ペン先央部にＵＶ硬化型ジェルを流通させる金属製のパイプと、からなるジェルペンを構成する。さらに、前記筆状ペン先は、筆部と、筆部を本体から先のほうにむけて途中まで囲む筒状部と、からなり、前記金属製のパイプは、筒状部の開口より本体側にその先端が位置するように配置する。【選択図】図４ａ
2014050492.tif 000002
【特許請求の範囲】
【請求項１】
ＵＶ硬化型ジェルを満たしたカートリッジと、カートリッジを収納する本体と、本体先端に設けられた筆状ペン先と、前記カートリッジから筆状ペン先央部にＵＶ硬化型ジェルを流通させる金属製のパイプと、からなるジェルペン。
【請求項２】
前記筆状ペン先は、筆部と、筆部を本体から先のほうにむけて途中まで囲む筒状部と、からなり、前記金属製のパイプは、筒状部の開口より本体側にその先端が位置するように配置される請求項１に記載のジェルペン。
【発明の詳細な説明】
【技術分野】
【０００１】
本発明は、ネイルアートに用いられるペン型器具に関する。
【背景技術】
【０００２】
従来、ネイルアートにおいては、紫外線の照射によって硬化するジェルを爪に塗布する技術が用いられてきた。そして、ジェルを爪に塗布する方法としては、ブラシ等の筆先をジャー型容器内のジェルに浸し、筆先に付着させたジェルを用いて塗布する方法が一般的であった。
【先行技術文献】
【特許文献】
【０００３】
【特許文献１】特開２０１１−２２９７２５号公報
【発明の概要】
【発明が解決しようとする課題】
【０００４】
しかしながら、上記従来技術には以下のような問題点があった。まず、一度の施術に当たって筆先を何度もジェルに浸す必要があり、煩雑であった。また、施術中に、蓋が開いたままの状態のジャー型容器内のジェルが乾燥して変質したり、紫外線によって硬化したりするという難点があった。
【０００５】
そこで、本発明は、筆先を容器内のジェルに浸すことなく塗布が可能であり、かつ、施術中にジェルが乾燥するおそれのないジェルペンを提供することを課題とする。
【課題を解決するための手段】
【０００６】
本発明が提供するネイルアート用器具は、具体的には、次のようなジェルペンである。
【０００７】
第１発明では、ＵＶ硬化型ジェルを満たしたカートリッジと、カートリッジを収納する本体と、本体先端に設けられた筆状ペン先と、前記カートリッジから筆状ペン先央部にＵＶ硬化型ジェルを流通させる金属製のパイプと、からなるジェルペンを提供する。
【０００８】
第２発明では、第１発明を基本として、前記筆状ペン先は、筆部と、筆部を本体から先のほうにむけて途中まで囲む筒状部と、からなり、前記金属製のパイプは、筒状部の開口より本体側にその先端が位置するように配置されるジェルペンを提供する。
【発明の効果】
【０００９】
本発明によれば、筆先を容器内のジェルに浸すことなく塗布が可能であり、かつ、施術中にジェルが乾燥するおそれのないジェルペンを提供できる。
【発明を実施するための形態】
【００１０】
以下に、図を用いて本発明の実施の形態を説明する。なお、本発明はこれらの実施の形態に何ら限定されるものではなく、その要旨を逸脱しない範囲において、種々なる態様で実施しうる。なお、実施形態１は、主に請求項１について説明する。実施形態２は、主に請求項２について説明する。
≪実施形態１≫
<実施形態１：概要>
【００１１】
図１は、本実施形態のジェルペンを用いた施術の様子を示す概念図である。図１に示すように、ユーザーは、筆状ペン先に付着したジェルペンを爪に塗布することによってネイルアートの施術を行う。
【００１２】
本実施形態のジェルペンは、本体に収納されたカートリッジがＵＶ硬化型ジェルによって満たされており、施術の際には、ＵＶ硬化型ジェルが金属製のパイプを経由して本体先端に設けられた筆状ペン先の央部に流通する構造である。本実施形態のカラージェルペンにおいては、ユーザーは、カートリッジ内のジェルを筆状ペン先に流通させることによって、筆状ペン先を別の容器内のジェルに浸すことなくジェルを爪に塗布することが可能である。
<実施形態１：構成>
【００１３】
図２を参照する。図２は、本実施形態のジェルペンを側面方向から見た場合の概念図である。本実施形態のジェルペンは、カートリッジ（０２０１）と、本体（０２０２）と、筆状ペン先（０２０３）と、金属製のパイプ（０２０４）と、からなる。
【００１４】
「カートリッジ」は、ＵＶ硬化型ジェル（０２０５）が充填される部分である。カートリッジの材質は特に限定されないが、ＵＶ硬化型ジェルと直接接する部分であることから、ＵＶ硬化型カラージェルによって変質しない素材によって構成されることが望ましい。具体的には、プラスチック等が挙げられる。
【００１５】
「ＵＶ硬化型ジェル」とは、爪に塗布するために用いられる流動性のある樹脂であり、ＵＶを照射することによって硬化することを特徴とする。ＵＶ硬化型ジェルを構成する物質としては、モノマー、オリゴマー、光重合開始剤、その他の添加物、等が挙げられる。
【００１６】
本実施形態のＵＶ硬化型ジェルに用いられるモノマーとしては、具体的には、ヒドロキシエチルメタクリレート等が挙げられる。オリゴマーとしては、ウレタンアクリレートオリゴマー等が挙げられる。光重合開始剤としては、ヒドロキシシクロヘキシルフェニルケトン等が挙げられる。
【００１７】
本実施形態のＵＶ硬化型ジェルは、カラージェルのように、添加物として顔料を含むものであっても良い。また、ラメ状の質感を出すために、ＵＶを反射する機能を有する酸化チタン等の物質を添加物として含むものであっても良い。
【００１８】
「本体」は、カートリッジを収納する部分である。ユーザーが、本体先端を下側に向けて保持することによって、カートリッジに充填されたＵＶ硬化型ジェルが本体先端へ向かって移動し、後に詳述する筆状ペン先まで到達することとなる。
【００１９】
本体は、ＵＶ硬化型ジェルの流通を促進するために用いられる部位を有するものであっても良い。具体的には、本体の先端と反対側にダイヤル式の機構を設け、ユーザーがダイヤルを回転させることによってＵＶ硬化型ジェルが本体の先端に向かって流通するように構成することが考えられる。
【００２０】
ここで、図３を参照する。図３は、本実施形態のジェルペンにおけるＵＶ硬化型ジェルの流通を示す概念図である。図３に示すように、ユーザーは、ダイヤル（０３０６）を回転させることによって、本体の先端を下側に向けることなく、ＵＶ硬化型ジェルを後に詳述する筆状ペン先まで容易に到達させることが可能となる。
【００２１】
ここで、更に、図４aを参照する。図４aは、本実施形態のジェルペンにおけるダイヤル回転機構の一例を示す概念図である。図４aに示すように、ユーザーがダイヤルを回転させると、ねじ（０４０７）が連動して回転し、筆状ペン先の方向へ向かって移動する。したがって、ピストンの働きによってシリンダー内のＵＶ硬化型ジェルが本体の先端へ向かって押し出されることとなる。すると、ＵＶ硬化型ジェルが金属上のパイプを通過して筆状ペン先まで到達し、施術が可能となる。
【００２２】
「筆状ペン先」は、本体の先端に配置される部分であり、ユーザーは、筆状ペン先に付着したＵＶ硬化型ジェルを爪に塗布することによってネイルアートを行う。筆状ペン先を構成する材料としては、具体的には、アクリル繊維、ポリエステル繊維、ナイロン繊維、等が挙げられる。
【００２３】
「金属製のパイプ」は、ＵＶ硬化型ジェルが通過する部分であり、カートリッジから筆状ペン先央部にＵＶ硬化型ジェルを流通させる機能を有する。ここで、再び図４aを参照する。「筆状ペン先央部」とは、図４aにおいて点線の円で囲まれた部分である。
【００２４】
ここで、更に、図４ｂを参照する。図４ｂは、図４aに示した本実施形態のジェルペンの筆先を真上方向から見た場合の概念図である。図４ｂに示すように、金属製のパイプのＵＶ硬化型ジェルの吐出口は、筆状ペン先を構成する材料によって囲まれている。このように構成することで、金属製のパイプから吐出されたＵＶ硬化型ジェルに照射される光を遮り、ＵＶ硬化型ジェルが施術前に硬化することを防ぐことが可能となる。
【００２５】
ＵＶ硬化型ジェルの吐出口は、筆状ペン先の央部に位置するよう構成されることが望ましい。筆状ペン先は、少なくとも施術の際に爪と接触する部分については、十分な柔軟性を有している必要がある。仮に、ＵＶ硬化型ジェルの吐出口が筆状ペン先の下端部に位置するよう構成した場合、筆状ペン先の表面全体にＵＶ硬化型ジェルが付着し、ＵＶ硬化型ジェルの硬化によって筆状ペン先全体の柔軟性が失われてしまうおそれがある。そのような事態を防ぐために、ＵＶ硬化型ジェルの吐出口を筆状ペン先の央部とし、筆状ペン先の央部より先端側にのみＵＶ硬化型ジェルが付着するよう構成することが望ましい。
【００２６】
なお、このように構成した場合でも、筆状ペン先の央部より先端側に付着したＵＶ硬化型ジェルが硬化して筆先の柔軟性が失われる可能性があるが、筆先は施術の際に爪と頻繁に接触することから、ＵＶ硬化型ジェルが長時間付着することはなく、ＵＶ硬化型ジェルの硬化によって柔軟性が失われるおそれはない。
【００２７】
ここで、図５を参照する。図５は、本実施形態のジェルペンのカートリッジ、筆状ペン先、及び金属製のパイプのみを示した概念図である。図５に示すように、筆状ペン先の央部に設けられた穴に金属製のパイプを差し込む構成とすることによって、ＵＶ硬化型ジェルが金属製のパイプを通過して筆状ペン先の先端に到達することとなる。
<実施形態１：効果>
【００２８】
本発明によれば、筆先を容器内のジェルに浸すことなく塗布が可能であり、かつ、施術中にジェルが乾燥するおそれのないジェルペンを提供できる。
<<実施形態２>>
<実施形態２：概要>
【００２９】
本実施形態のジェルペンは、実施形態１のジェルペンを基本として、筆状ペン先の筆部が筒状部によって途中まで囲まれており、かつ、金属製のパイプの先端が、筒状部の開口より本体側に位置するように配置されているという特徴をさらに有する。
<実施形態２：構成>
【００３０】
本実施形態のジェルペンは、カートリッジと、本体と、筆状ペン先と、金属製のパイプと、からなる。カートリッジ及び本体については、実施形態１で説明したところと同様であるので、説明を省略する。また、筆状ペン先及び金属製のパイプについては、以下に述べる点を除いて、実施形態１で説明したところと同様である。
【００３１】
図６を参照する。図６は、本実施形態のジェルペンを側面方向から見た場合の概念図である。図６に示すように、本実施形態のジェルペンの「筆状ペン先」は、筆部（０６０３ａ）と、筆部を本体から先のほうにむけて途中まで囲む筒状部（０６０３ｂ）と、からなる。
【００３２】
「筆部」は、施術の際にユーザーの爪と接触する部分であり、アクリル繊維、ポリエステル繊維、ナイロン繊維、等の材料を束ね、下端部をプラスチック等の部品で固定することによって形成される。
【００３３】
「筒状部」は、プラスチック等によって形成される筒状の部分であり、筆部の一部を囲む機能を有する。再び図６を参照する。図６に示すように、本実施形態のジェルペンの「金属製のパイプ」は、その先端が、筒状部の開口より本体側に位置するように配置されることを特徴とする。このように構成することによって、ＵＶ硬化型ジェルの吐出口が筆部及び筒状部によって二重に囲まれることとなり、吐出されたＵＶ硬化型ジェルが施術前に硬化することを防ぐことが可能となる。
【００３４】
また、筒状部は、筆部の一部を囲むことによって筆部をより密に形成する機能も有している。これによって、金属製のパイプから吐出されたＵＶ硬化型ジェルに照射される光がより遮られることとなり、ＵＶ硬化型ジェルが施術前に硬化することを防ぐことが可能となる。
<実施形態２：効果>
【００３５】
本発明によれば、筆先を容器内のジェルに浸すことなく塗布が可能であり、施術中にジェルが乾燥するおそれがなく、さらに、筆先を用いたより細かい施術か可能なジェルペンを提供できる。
【図面の簡単な説明】
【００３６】
【図１】実施形態１のジェルペンを用いた施術の様子を示す概念図
【図２】実施形態１のジェルペンを側面方向から見た場合の概念図
【図３】実施形態１のジェルペンにおけるＵＶ硬化型ジェルの流通を示す概念図
【図４ａ】実施形態１のジェルペンにおけるダイヤル回転機構の一例を示す概念図
【図４ｂ】図４ａに示した実施形態１のジェルペンの筆先を真上方向から見た場合の概念図
【図５】実施形態１のジェルペンのカートリッジ、筆状ペン先、及び金属製のパイプのみを示した概念図
【図６】実施形態２のジェルペンを側面方向から見た場合の概念図
【符号の説明】
【００３７】
カートリッジ  ０２０１
本体  ０２０２
筆状ペン先  ０２０３
金属製のパイプ  ０２０４
ＵＶ硬化型ジェル  ０２０５
ダイヤル  ０３０６
ねじ  ０４０７
筆部  ０６０３ａ
筒状部  ０６０３ｂ
【図１】
2014050492.tif 000003
【図２】
2014050492.tif 000004
【図３】
2014050492.tif 000005
【図４ａ】
2014050492.tif 000006
【図４ｂ】
2014050492.tif 000007
【図５】
2014050492.tif 000008
【図６】
2014050492.tif 000009